(57)【要約】      （修正有）【課題】人物の顔を簡単に描くことが可能である。【解決手段】人物の顔描写用テンプレート１０は、人物の顔を描くために用いるテンプレートであり、鼻を描くための基準線１１と、目を描くための基準線１２と、眉を描くための基準線１３と、口を描くための基準線１４と、を有する。【選択図】図１
2020085981.tif 000002
【特許請求の範囲】
【請求項１】
人物の顔を描くために用いるテンプレートであり、
鼻を描くための基準線と、
目を描くための基準線と、
眉を描くための基準線と、
口を描くための基準線と、
を有することを特徴とする人物の顔描写用テンプレート。
【請求項２】
人物の前向き顔、
人物の横向き顔、
人物の上向き顔、
人物の下向き顔、
人物の斜め横向き顔、
の内のいずれかの顔を描くために用いることを特徴とする請求項１に記載の人物の顔描写用テンプレート。
【請求項３】
請求項１または請求項２に記載の人物の顔描写用テンプレートと、人物の顔を描くための透視可能な描写用用紙を用い、
前記人物の顔描写用テンプレートの上に前記描写用用紙を置き、
前記描写用用紙を置いた状態で透視される前記人物の顔描写用テンプレートの鼻を描くための基準線と、目を描くための基準線と、眉を描くための基準線と、口を描くための基準線と、を利用して人物の顔を描くことを特徴とする人物の顔描写方法。
【発明の詳細な説明】
【技術分野】
【０００１】
この発明は、人物の顔を簡単に描くことが可能な人物の顔描写用テンプレート及び人物の顔描写方法に関する。
【背景技術】
【０００２】
習い事として絵画を学ぶ絵画教室や絵画スクールなどがあり、絵画を教える先生は、例えば、生徒の子供に人物の顔を描くことを手ごろな題材としている。生徒に対する指導として、例えば人物の顔を自由に描くことも指導しているが、顔の輪郭を描き、耳、鼻、目、眉、口などの部位の基本的な構成を描く指導もしている。
【０００３】
例えば、美容の分野では、眉毛の色、形、位置によって人の表情は大きく変わるため、女性の多くは、自分の顔に合った眉毛を整えるために、あるいは自分をより美しく見せるために、アイブローペンシルで眉毛を描画したり、眉毛の一部を剃ったりして眉毛の形や色を整え、このような作業をアシストするための技術が特許文献１や特許文献２で開示されている。
【先行技術文献】
【特許文献】
【０００４】
【特許文献１】特開平８−１４０７３４号公報
【特許文献１】特開平９−１００３４号公報
【発明の概要】
【発明が解決しようとする課題】
【０００５】
ところで、絵画を学ぶ絵画教室や絵画スクールなどでは、鼻、目、眉、口などの部位の基本的な構成を描くためのアシストするための技術がなく、指導に手数を要していた。
【０００６】
この発明は、このような従来の問題点を解消するためになされたもので、その目的とするところは、人物の顔を簡単に描くことが可能な人物の顔描写用テンプレート及び人物の顔描写方法を提供することにある。
【課題を解決するための手段】
【０００７】
前記課題を解決し、かつ目的を達成するために、この発明は、以下のように構成した。
【０００８】
請求項１に記載の発明は、人物の顔を描くために用いるテンプレートであり、
鼻を描くための基準線と、
目を描くための基準線と、
眉を描くための基準線と、
口を描くための基準線と、
を有することを特徴とする人物の顔描写用テンプレートである。
【０００９】
請求項２に記載の発明は、
人物の前向き顔、
人物の横向き顔、
人物の上向き顔、
人物の下向き顔、
人物の斜め横向き顔、
の内のいずれかの顔を描くために用いることを特徴とする請求項１に記載の人物の顔描写用テンプレートである。
【００１０】
請求項３に記載の発明は、請求項１または請求項２に記載の人物の顔描写用テンプレートと、人物の顔を描くための透視可能な描写用用紙を用い、  前記人物の顔描写用テンプレートの上に前記描写用用紙を置き、
前記描写用用紙を置いた状態で透視される前記人物の顔描写用テンプレートの鼻を描くための基準線と、目を描くための基準線と、眉を描くための基準線と、口を描くための基準線と、を利用して人物の顔を描くことを特徴とする人物の顔描写方法である。
【発明の効果】
【００１１】
前記構成により、この発明は、以下のような効果を有する。
【００１２】
請求項１乃至請求項３に記載の発明では、人物の顔描写用テンプレートを用いることで、人物の顔描写用テンプレートの上に描写用用紙を置き、人物の顔描写用テンプレートの鼻を描くための基準線と、目を描くための基準線と、眉を描くための基準線と、口を描くための基準線と、を利用して人物の顔を簡単に描くことができる。
【図面の簡単な説明】
【００１３】
【図１】第１の実施の形態の人物の顔描写用テンプレートを示す図である。
【図２】第２の実施の形態の人物の顔描写用テンプレートを示す図である。
【図３】第３の実施の形態の人物の顔描写用テンプレートを示す図である。
【図４】人物の顔描写方法の手順を示す図である。
【図５】第１の実施の形態の人物の顔描写用テンプレートを用いた人物の顔描写方法を示す図である。
【図６】第２の実施の形態の人物の顔描写用テンプレートを用いた人物の顔描写方法を示す図である。
【図７】第３の実施の形態の人物の顔描写用テンプレートを用いた人物の顔描写方法を示す図である。
【図８】第４の実施の形態の人物の顔描写用テンプレートを用いた実施の形態を示す図である。
【図９】第５の実施の形態の人物の顔描写用テンプレートを用いた実施の形態を示す図である。
【図１０】第６の実施の形態の人物の顔描写用テンプレートを用いた実施の形態を示す図である。
【発明を実施するための形態】
【００１４】
以下、この発明の人物の顔描写用テンプレート及び人物の顔描写方法の実施の形態について説明する。この発明の実施の形態は、発明の最も好ましい形態を示すものであり、この発明はこれに限定されない。
【００１５】
（人物の顔描写用テンプレート）
この実施の形態の人物の顔描写用テンプレートを、図１乃至図３に基づいて説明する。図１は第１の実施の形態の人物の顔描写用テンプレートを示す図、図２は第２の実施の形態の人物の顔描写用テンプレートを示す図、図３は第３の実施の形態の人物の顔描写用テンプレートを示す図である。  
【００１６】
（第１の実施の形態）
図１において、第１の実施の形態の人物の顔描写用テンプレート１０は、大人の前向き顔を描くために用いるテンプレートであり、縦長長方形のシートで成形される。この人物の顔描写用テンプレート１０は、鼻を描くための基準線１１と、目を描くための基準線１２と、眉を描くための基準線１３と、口を描くための基準線１４と、を有する。
【００１７】
鼻を描くための基準線１１は、縦の鼻中心の基準線１１ａと、横の鼻下の基準線１１ｂから構成される。目を描くための基準線１２は、縦の目中心の基準線１２ａと、縦の目頭の基準線１２ｂと、横の目中心の基準線１２ｃから構成される。眉を描くための基準線１３は、横の眉中心の基準線１３ａから構成される。口を描くための基準線１４は、縦の唇端の基準線１４ａと、横の口中心の基準線１４ｂと、横の上唇の基準線１４ｃと、横の下唇の基準線１４ｄから構成される。
【００１８】
また、顔の輪郭を描くための基準線及び耳を描くための基準線を設け、顔の輪郭を描くための基準線は、顔の輪郭に沿った基準線から構成し、耳を描くための基準線は、縦の基準線と、横の基準線から構成してもよい。  
【００１９】
（第２の実施の形態）
図２において、第２の実施の形態の人物の顔描写用テンプレート２０は、子供の前向き顔を描くために用いるテンプレートであり、縦長長方形のシートで成形される。この人物の顔描写用テンプレート２０は、鼻を描くための基準線２１と、目を描くための基準線２２と、眉を描くための基準線２３と、口を描くための基準線２４と、を有する。
【００２０】
鼻を描くための基準線２１は、縦の顔中心の基準線２１ａと、縦の鼻幅の基準線２１ｂと、横の鼻下の基準線２１ｃから構成される。目を描くための基準線２２は、縦の目頭の基準線２２ａと、縦の目尻の基準線２２ｂと、横の目中心の基準線２２ｃから構成される。眉を描くための基準線２３は、横の眉中心の基準線２３ａから構成される。口を描くための基準線２４は、横の口中心の基準線２４ａから構成される。
【００２１】
また、顔の輪郭を描くための基準線及び耳を描くための基準線を設け、顔の輪郭を描くための基準線は、顔の輪郭に沿った基準線から構成し、耳を描くための基準線は、縦の基準線と、横の基準線から構成してもよい。
【００２２】
（第３の実施の形態）
図３において、第３の実施の形態の人物の顔描写用テンプレート３０は、大人の横向き顔を描くために用いるテンプレートであり、縦長長方形のシートで成形される。この人物の顔描写用テンプレート３０は、鼻を描くための基準線３１と、目を描くための基準線３２と、眉を描くための基準線３３と、口を描くための基準線３４と、顔の輪郭を描くための基準線３５と、耳を描くための基準線３６を有する。
【００２３】
鼻を描くための基準線３１は、縦の鼻の基準線３１ａと、縦の鼻下の基準線３１ｂから構成される。目を描くための基準線３２は、横の目中心の基準線３２ａから構成される。眉を描くための基準線３３は、横の眉中心の基準線３３ａから構成される。口を描くための基準線３４は、縦の唇中心の基準線３４ａから構成される。
【００２４】
顔の輪郭を描くための基準線３５は、縦の顎の頂点の基準線３５ａと、縦の首の始発点の基準線３５ｂと、縦の顎の終点の基準線３５ｃから構成する。耳を描くための基準線３６は、縦の耳前の基準線３６ａと、縦の耳後の基準線３６ｂから構成する。
【００２５】
（人物の顔描写方法）
この実施の形態の人物の顔描写方法を、図４乃至図１０に基づいて説明する。図４は人物の顔描写方法の手順を示す図、図５は第１の実施の形態の人物の顔描写用テンプレートを用いた実施の形態を示す図、図６は第２の実施の形態の人物の顔描写用テンプレートを用いた実施の形態を示す図、図７は第３の実施の形態の人物の顔描写用テンプレートを用いた実施の形態を示す図、図８は第４の実施の形態の人物の顔描写用テンプレートを用いた実施の形態を示す図、図９は第５の実施の形態の人物の顔描写用テンプレートを用いた実施の形態を示す図、図１０は第６の実施の形態の人物の顔描写用テンプレートを用いた実施の形態を示す図である。
【００２６】
この実施の形態の人物の顔描写方法は、図４において、人物の顔描写用テンプレートと、人物の顔を描くための透視可能な描写用用紙を準備する（図４（Ａ））。人物の顔描写用テンプレートの上に描写用用紙を置き（図４（Ｂ））、描写用用紙を置いた状態で透視される人物の顔描写用テンプレートの鼻を描くための基準線と、目を描くための基準線と、眉を描くための基準線と、口を描くための基準線と、を利用して人物の顔を描く（図４（Ｃ））。
【００２７】
この実施の形態では、人物の顔描写用テンプレートを用いることで、人物の顔描写用テンプレートの上に描写用用紙を置き、人物の顔描写用テンプレートの基準線を利用して人物の顔を簡単に描くことができる。
【００２８】
習い事として絵画を学ぶ絵画教室や絵画スクールでは、絵画を教える先生は、人物の顔描写用テンプレートを用いることで、顔の輪郭を描き、耳、鼻、目、眉、口などの部位の基本的な構成を描く指導が容易になり、人物の顔を描くことを手ごろな題材として教えることができる。
【００２９】
（第１の実施の形態の人物の顔描写用テンプレートを用いた実施の形態）
図５において、第１の実施の形態の人物の顔描写用テンプレート１０を用い、人物の顔描写用テンプレート１０の上に描写用用紙Ｐを置き、描写用用紙Ｐを置いた状態で透視される人物の顔描写用テンプレート１０の鼻を描くための基準線１１と、目を描くための基準線１２と、眉を描くための基準線１３と、口を描くための基準線１４と、を利用して人物の前向き顔を描く。
【００３０】
（第２の実施の形態の人物の顔描写用テンプレートを用いた実施の形態）
図６において、第２の実施の形態の人物の顔描写用テンプレート２０を用い、人物の顔描写用テンプレート２０の上に描写用用紙Ｐを置き、描写用用紙Ｐを置いた状態で透視される人物の顔描写用テンプレート２０の鼻を描くための基準線２１と、目を描くための基準線２２と、眉を描くための基準線２３と、口を描くための基準線２４と、を利用して人物の前向き顔を描く。
【００３１】
（第３の実施の形態の人物の顔描写用テンプレートを用いた実施の形態）
図７において、第３の実施の形態の人物の顔描写用テンプレート３０を用い、人物の顔描写用テンプレート３０の上に描写用用紙Ｐを置き、描写用用紙Ｐを置いた状態で透視される人物の顔描写用テンプレート３０の鼻を描くための基準線３１と、目を描くための基準線３２と、眉を描くための基準線３３と、口を描くための基準線３４と、を利用して人物の横向き顔を描く。
【００３２】
（第４の実施の形態の人物の顔描写用テンプレートを用いた実施の形態）
図８において、第４の実施の形態の人物の顔描写用テンプレート４０を用い、人物の顔描写用テンプレート４０の上に描写用用紙Ｐを置き、描写用用紙Ｐを置いた状態で透視される人物の顔描写用テンプレート４０の鼻を描くための基準線４１と、目を描くための基準線４２と、眉を描くための基準線４３と、口を描くための基準線４４と、を利用して人物の上向き顔を描く。
【００３３】
（第５の実施の形態の人物の顔描写用テンプレートを用いた実施の形態）
図９において、第５の実施の形態の人物の顔描写用テンプレート５０を用い、人物の顔描写用テンプレート５０の上に描写用用紙Ｐを置き、描写用用紙Ｐを置いた状態で透視される人物の顔描写用テンプレート５０の鼻を描くための基準線５１と、目を描くための基準線５２と、眉を描くための基準線５３と、口を描くための基準線５４と、を利用して人物の下向き顔を描く。
【００３４】
（第６の実施の形態の人物の顔描写用テンプレートを用いた実施の形態）
図１０において、第６の実施の形態の人物の顔描写用テンプレート６０を用い、人物の顔描写用テンプレート６０の上に描写用用紙Ｐを置き、描写用用紙Ｐを置いた状態で透視される人物の顔描写用テンプレート６０の鼻を描くための基準線６１と、目を描くための基準線６２と、眉を描くための基準線６３と、口を描くための基準線６４と、を利用して人物の斜め横向き顔を描く。
【産業上の利用可能性】
【００３５】
この発明は、人物の顔を簡単に描くことが可能な人物の顔描写用テンプレート及び人物の顔描写方法に適用され、人物の顔を簡単に描くことが可能である。
【符号の説明】
【００３６】
１０，２０，３０，４０，５０，６０  人物の顔描写用テンプレート
１１，２１，３１，４１，５１，６１  鼻を描くための基準線
１２，２２，３２，４２，５２，６２  目を描くための基準線
１３，２３，３３，４３，５３，６３  眉を描くための基準線
１４，２４，３４，４４，５４，６４  口を描くための基準線
【図１】
2020085981.tif 000003
【図２】
2020085981.tif 000004
【図３】
2020085981.tif 000005
【図４】
2020085981.tif 000006
【図５】
2020085981.tif 000007
【図６】
2020085981.tif 000008
【図７】
2020085981.tif 000009
【図８】
2020085981.tif 000010
【図９】
2020085981.tif 000011
【図１０】
2020085981.tif 000012